(57)【特許請求の範囲】
【請求項１】
底壁と両側壁を有してワイヤハーネスを収容する樋状のプロテクタ本体と、このプロテクタ本体の両側壁間の開口部を覆うカバーとから成り、前記プロテクタ本体の少なくとも一方の側壁に前記ワイヤハーネスの幹線から分岐した分岐線を保持する分岐線保持用の延長片を設けたワイヤハーネス用プロテクタにおいて、
前記延長片の基端部を前記分岐線を仮固定する仮固定部とし、かつ、前記延長片の先端部を前記プロテクタ本体の三次元方向に延びるように設け、この延長片の先端部を前記分岐線を本固定する本固定部としたことを特徴とするワイヤハーネス用プロテクタ。
【請求項２】
請求項１記載のワイヤハーネス用プロテクタであって、
前記延長片の基端部と前記分岐線とを結束バンドで固定すると共に、該延長片の先端部と該分岐線とを粘着テープで固定したことを特徴とするワイヤハーネス用プロテクタ。
【発明の詳細な説明】
【技術分野】
【０００１】
本発明は、例えば、車両用のワイヤハーネスを収容して保護するワイヤハーネス用プロテクタに関する。
【背景技術】
【０００２】
この種のワイヤハーネス用プロテクタとして、図４に示すものがある（例えば、特許文献１参照。）。
【０００３】
このワイヤハーネス用プロテクタ１は、図４（ａ），（ｂ）に示すように、ワイヤハーネス８の幹線８ａを収容する合成樹脂製で樋状のプロテクタ本体２を備えている。
【０００４】
このプロテクタ本体２の一方の側壁２ａの切欠部２ｂには、図４（ａ）に示すように、ワイヤハーネス８の幹線８ａから分岐した一方の分岐線８ｂを保持する平板短尺状で分岐線保持用の延長片３を連設してある。また、プロテクタ本体２の他方の側壁２ｃの切欠き部２ｄには、図４（ａ）に示すように、ワイヤハーネス８の幹線８ａから分岐した他方の分岐線８ｃを保持する平板長尺状で分岐線保持用の延長片４を連設してある。
【０００５】
そして、図４（ｂ）に示すように、平板長尺状で分岐線保持用の延長片４は、プロテクタ本体２の他方の側壁２ｃの高さの位置に設けられたヒンジ５を介してプロテクタ本体２の一方の側壁２ａ側に折り曲げられると共に、該延長片４にテープＴで固定されたワイヤハーネス８の他方の分岐線８ｃの三次元方向への折り曲げ状態を該延長片４の両側のピン６，６を一方の側壁２ａの切欠き部２ｅの両側に設けられたフック７，７に係合することで固定することができるようになっている。
【特許文献１】特開２０００−３５０３２９号公報
【特許文献２】特開平９−６５５４１号公報
【発明の開示】
【発明が解決しようとする課題】
【０００６】
前記従来のワイヤハーネス用プロテクタ１では、平板長尺状で分岐線保持用の延長片４をヒンジ５を介して折り曲げて、三次元のレイアウト分岐を可能にしているが、分岐線長の公差内で分岐線８ｃと分岐線保持用の延長片４を折り曲げる作業に熟練を要し、また、ヒンジ５の部分より分岐線保持用の延長片４が破損し易く、強度的な問題があった。
【０００７】
そこで、本発明は、前記した課題を解決すべくなされたものであり、三次元方向に分岐経路をとるワイヤハーネスの分岐線をその分岐線長の公差内で分岐線保持用の延長片に簡単かつ確実に固定することができるワイヤハーネス用プロテクタを提供することを目的とする。
【課題を解決するための手段】
【０００８】
請求項１の発明は、底壁と両側壁を有してワイヤハーネスを収容する樋状のプロテクタ本体と、このプロテクタ本体の両側壁間の開口部を覆うカバーとから成り、前記プロテクタ本体の少なくとも一方の側壁に前記ワイヤハーネスの幹線から分岐した分岐線を保持する分岐線保持用の延長片を設けたワイヤハーネス用プロテクタにおいて、前記延長片の基端部を前記分岐線を仮固定する仮固定部とし、かつ、前記延長片の先端部を前記プロテクタ本体の三次元方向に延びるように設け、この延長片の先端部を前記分岐線を本固定する本固定部としたことを特徴とする。
【０００９】
請求項２の発明は、請求項１記載のワイヤハーネス用プロテクタであって、前記延長片の基端部と前記分岐線とを結束バンドで固定すると共に、該延長片の先端部と該分岐線とを粘着テープで固定したことを特徴とする。
【発明の効果】
【００１０】
以上説明したように、請求項１の発明によれば、プロテクタ本体の少なくとも一方の側壁に設けられたワイヤハーネスの幹線から分岐した分岐線を保持する分岐線保持用の延長片の基端部を分岐線を仮固定する仮固定部とし、かつ、延長片の先端部をプロテクタ本体の三次元方向に延びるように設け、この延長片の先端部を分岐線を本固定する本固定部としたことにより、三次元方向に分岐経路をとるワイヤハーネスの分岐線をその分岐線長の公差内で分岐線保持用の延長片に簡単かつ確実に固定することができる。
【００１１】
請求項２の発明によれば、延長片の基端部と分岐線とを結束バンドで固定すると共に、該延長片の先端部と該分岐線とを粘着テープで固定したことにより、三次元方向に分岐経路をとるワイヤハーネスの分岐線をその分岐線長の公差内で分岐線保持用の延長片に結束バンドと粘着テープを介してより簡単かつ確実に固定することができる。
【発明を実施するための最良の形態】
【００１２】
以下、本発明の一実施形態を図面に基づいて説明する。
【００１３】
図１は本発明の一実施形態のワイヤハーネス用プロテクタの要部を示す斜視図、図２は同要部の拡大斜視図、図３（ａ）は同ワイヤハーネス用プロテクタによるワイヤハーネスの分岐線の仮固定状態を示す説明図、図３（ｂ）は同分岐線の本固定状態を示す説明図である。
【００１４】
図１〜図３に示すように、ワイヤハーネス用プロテクタ１０は、底壁１２と該底壁１２の両端側より上方に起立した両側壁１３，１３とで樋状（断面コ字状）に形成され、その内部にワイヤハーネス８の幹線８ａを収容する合成樹脂製のプロテクタ本体１１と、このプロテクタ本体１１の両側壁１３，１３の各上端１３ａ間の開口部１３ｂを開閉する合成樹脂製のカバー２０とから構成されている。
【００１５】
プロテクタ本体１１の一方の側壁１３の外側には、車体等に取り付けるためのブラケット１４を一体突出形成してある。
【００１６】
また、プロテクタ本体１１の他方の側壁１３の外側には、プロテクタ本体１１内で幹線８ａより分岐したワイヤハーネス８の分岐線８ｂを保持する断面Ｕ字状で分岐線保持用の延長片１５を下方（三次元方向）へ略Ｌ字形に一体突出形成してある。即ち、延長片１５の基端部１５ａは水平に延びていて、分岐線８ｂを仮固定する仮固定部となっている。さらに、延長片１５の先端部１５ｂはプロテクタ本体１１の下方（三次元方向）に延びるように傾斜していて、分岐線８ｂを本固定する本固定部となっている。
【００１７】
さらに、延長片１５の基端部１５ａには、結束バンド（固定手段）Ｂを挿通させるバンド挿通孔１５ｃを形成してあり、このバンド挿通孔１５ｃを挿通する結束バンドＢにより延長片１５の基端部１５ａとワイヤハーネス８の分岐線８ｂとは仮固定されるようになっている。また、延長片１５の先端部１５ｃの外周面には一対のテープ止め部１５ｄ，１５ｄを一体突出形成してあり、この一対のテープ止め部１５ｄ，１５ｄ間に巻き着けられる粘着テープ（固定手段）Ｔにより、延長片１５の先端部１５ｃとワイヤハーネス８の分岐線８ｂとは本固定されるようになっている。
【００１８】
図１，図２に示すように、カバー２０はプロテクタ本体１１の両側壁１３，１３の外側に覆い被さる断面コ字状に形成されており、その前後両側には先端が鉤状の係止爪（係止部）２１をそれぞれ一体突出形成してある。この各係止爪２１に対向するプロテクタ本体１１の両側壁１３，１３の外側には、該各係止爪２１が係止・離脱される略四角筒状（枠状）の係合部１６をそれぞれ一体突出形成してある。これら係合部１６と係止爪２１とでプロテクタ本体１１の両側壁１３，１３とカバー２０との閉状態をロックするロック手段が構成されている。
【００１９】
尚、図３中符号３０はワイヤハーネス８を組み付ける板状の治具であり、この治具３０上にはプロテクタ本体１１を保持する枠状の本体保持具３１とワイヤハーネス８の分岐線８ｂを保持する棒状の分岐線保持具３２等を取り付けてある。また、ワイヤハーネス８の分岐線８ｂの先端にはコネクタ９を接続してある。
【００２０】
以上実施形態のワイヤハーネス用プロテクタ１０によれば、図３（ａ）に示すように、治具３０上でワイヤハーネス８を組み付ける際に、分岐線保持具３２で保持されて水平方向に延びる分岐線８ｂの根元部分をプロテクタ本体１１の側壁１３のＵ字状の切欠き部に連通したＬ字状で分岐線保持用の延長片１５の基端部１５ａに結束バンドＢを介して仮固定する。
【００２１】
次に、ワイヤハーネス８の図示しない他の分岐線の端末処理を行った後で、プロテクタ本体１１の両側壁１３，１３の各上端１３ａにカバー２０を組み付け、その開口部１１ｂを覆う。そして、図３（ｂ）に示すように、ワイヤハーネス８を治具３０から取り外し、プロテクタ本体１１からＬ字状で分岐線保持用の延長片１５に沿って下方（三次元方向）に分岐経路をとる分岐線８ｂに対し、延長片１５の先端部１５ｃと分岐線８ｂとを粘着テープＴを介して本固定する。
【００２２】
このように、プロテクタ本体１１の下方の三次元方向に分岐経路をとるワイヤハーネス８の分岐線８ｂを、治具３０上でプロテクタ本体１１の延長片１５の基端部１５ａにて結束バンドＢで仮固定し、治具３０から外した後で、延長片１５の先端部１５ｂにて粘着テープＴで本固定する固定方法を併用することによって、分岐線８ｂの分岐線長Ｌの公差内で分岐線８ｂを分岐線保持用の延長片１５に簡単かつ確実に固定して、下方の三次元方向に分岐線８ｂを備えたワイヤハーネス８を簡単に作製することができる。
【００２３】
尚、前記実施形態によれば、延長片の基端部と分岐線とを結束バンドで固定すると共に、該延長片の先端部と該分岐線とを粘着テープで固定するようにしたが、延長片の基端部と分岐線とを粘着テープで固定すると共に、該延長片の先端部と該分岐線とを結束バンドで固定するようにしても良い。また、固定手段は結束バンドと粘着テープに限られるものではないことは勿論である。
【図面の簡単な説明】
【００２４】
【図１】本発明の一実施形態のワイヤハーネス用プロテクタの要部を示す斜視図である。
【図２】上記ワイヤハーネス用プロテクタの要部の拡大斜視図である。
【図３】（ａ）は上記ワイヤハーネス用プロテクタによるワイヤハーネスの分岐線の仮固定状態を示す説明図、（ｂ）は同ワイヤハーネスの分岐線の本固定状態を示す説明図である。
【図４】（ａ）は従来のワイヤハーネス用プロテクタによるワイヤハーネスの分岐線の取付途中の斜視図、（ｂ）は同ワイヤハーネスの分岐線の取付後の斜視図である。
【符号の説明】
【００２５】
８  ワイヤハーネス
８ａ  幹線
８ｂ  分岐線
１０  ワイヤハーネス用プロテクタ
１１  プロテクタ本体
１２  底壁
１３，１３  両側壁
１３ｂ  開口部
１５  分岐線保持用の延長片
１５ａ  基端部（仮固定部）
１５ｂ  先端部（本固定部）
２０  カバー
Ｂ  結束バンド（固定手段）
Ｔ  粘着テープ（固定手段）
【図１】
0005189904.tif 000002
【図２】
0005189904.tif 000003
【図３】
0005189904.tif 000004
【図４】
0005189904.tif 000005